(57)【要約】【課題】セルラー周波数帯の受信帯域に対する干渉を悪化させることなく、送受信モジュール側の受信感度を改善すること。【解決手段】この送受信モジュール１０は、無線ＬＡＮに対応した第１の通信モジュール１２と、ＢＴに対応した第２の通信モジュール１３と、第１の外部アンテナ１５ａが接続される第１のアンテナ接続端子１４ａと、第２の外部アンテナ１５ｂが接続される第２のアンテナ接続端子１４ｂと、第１のアンテナ接続端子１４ａに接続された第１のフィルタ１６と、第２のアンテナ接続端子１４ｂに接続された第２のフィルタ１７と、ＲＦスイッチ１８，１９とを備え、セルラーシステムに対応し送受信回路２が外部に設けられ、ＲＦスイッチ１８，１９により第１及び第２の送受信回路が選択的に送信可能とされるように設定され、第２のフィルタ１７の挿入損失が第１のフィルタ１６の挿入損失より小さく設定されている。【選択図】図１
2011250362.tif 000002
【特許請求の範囲】
【請求項１】
第１の無線通信システムに対応した第１の送受信回路と、
前記第１の無線通信システムと使用周波数帯が同一の第２の無線通信システムに対応した第２の送受信回路と、
第１の外部アンテナが接続される第１のアンテナ接続端子と、
第２の外部アンテナが接続される第２のアンテナ接続端子と、
前記第１のアンテナ接続端子に接続された第１のフィルタと、
前記第２のアンテナ接続端子に接続された第２のフィルタと、
前記第１の送受信回路が前記第１又は第２のフィルタの一方に接続される場合は、前記第２の送受信回路が他方のフィルタに接続され、前記第１の送受信回路が前記第１又は第２のフィルタの他方に接続される場合は、前記第２の送受信回路が一方のフィルタに接続されるように接続状態を切り替え可能なスイッチ手段と、を備え、
前記第１及び第２の無線通信システムとは使用周波数帯が異なると共にシステムが異なる第３の無線通信システムに対応した第３の送受信回路が外部に設けられ、前記第１及び第２の送受信回路が選択的に送信可能とされるように設定される送受信モジュールであって、
前記第２のフィルタの挿入損失が前記第１のフィルタの挿入損失より小さく設定されていることを特徴とする送受信モジュール。
【請求項２】
前記第３の送受信回路の送信又は受信周波数帯域における前記第１のフィルタの減衰量が、前記第３の送受信回路の送信又は受信周波数帯域における前記第２のフィルタの減衰量より大きく設定されていることを特徴とする請求項１記載の送受信モジュール。
【請求項３】
前記第２の送受信回路は前記第１の無線通信システムとはシステムが異なることを特徴とする請求項１又は請求項２記載の送受信モジュール。
【請求項４】
前記スイッチ手段は、単極側端子が前記第１の送受信回路に接続された単極双投の第１のスイッチ回路と、単極側端子が前記第２の送受信回路に接続された単極双投の第２のスイッチ回路とを備え、
前記第１のフィルタには、前記第１のスイッチ回路の双投側端子の一方の端子と前記第２のスイッチ回路の双投側端子の一方の端子が接続され、
前記第２のフィルタには、前記第１のスイッチ回路の双投側端子の他方の端子と前記第２のスイッチ回路の双投側端子の他方の端子が接続され、
前記第１のスイッチ回路が前記第１のフィルタ側に切り換えられているとき、前記第２のスイッチ回路が前記第２のフィルタ側に切り換えられており、
前記第１のスイッチ回路が前記第２のフィルタ側に切り換えられているとき、前記第２のスイッチ回路が前記第１のフィルタ側に切り換えられていることを特徴とする請求項１から請求項３のいずれかに記載の送受信モジュール。
【請求項５】
前記第３の送受信回路の動作時、又は前記第３の送受信回路が待ち受け状態で受信レベルが所定レベルより低い場合に、前記第２のアンテナを前記第１又は第２の送受信回路の受信用としてのみ使用し、前記第１のアンテナを前記第２又は第１の送受信回路の送信用又は受信用として使用可能としたことを特徴とする請求項１から請求項４のいずれかに記載の送受信モジュール。
【請求項６】
前記第３の送受信回路非動作時、又は前記第３の送受信回路が待ち受け状態で受信レベルが前記所定レベルより高い場合に、前記第１又は第２の送受信回路の送受信電波状況に応じて前記第１又は第２のアンテナを、受信用又は送信用に切り換え可能としたことを特徴とする請求項１から請求項４のいずれかに記載の送受信モジュール。
【請求項７】
前記第１及び第２のアンテナを、前記第１又は第２の送受信回路用のダイバーシティアンテナとして使用するように設定されていることを特徴とする請求項６記載の送受信モジュール。
【請求項８】
前記第１及び第２のフィルタは、バンドパスフィルタであることを特徴とする請求項１から請求項７のいずれかに記載の送受信モジュール。
【請求項９】
前記第１の送受信回路は無線ＬＡＮ用回路であり、
前記第２の送受信回路は近距離無線通信用回路であり、
前記第３の送受信回路はセルラーシステム用回路であることを特徴とする請求項１から請求項８のいずれかに記載の送受信モジュール。
【請求項１０】
前記第３の送受信回路と、請求項１から請求項９のいずれかに記載の送受信モジュールとを同一筐体内に備えたことを特徴とする携帯電話機。
【発明の詳細な説明】
【技術分野】
【０００１】
本発明は、通信方式の異なる２つの無線通信システムに対応して２つの送受信回路を搭載した送受信モジュール及びその送受信モジュールを備えた携帯電話機に関する。
【背景技術】
【０００２】
従来、異なる通信方式である無線LANとBluetooth（登録商標）を実現するには、それぞれの通信に対応したモジュールを二つ搭載していたが、これをワンパッケージ化することによりセット製品の小型化に貢献できる。無線LANとBluetooth（登録商標）は、同じ2.4GHz帯を使用する通信方式なので、お互いの干渉を低減する機能を備えた通信制御システムを採用することで、両通信方式の同時動作を実現できる。
【０００３】
セット製品が携帯電話機の場合、セルラーシステムと無線LAN／Bluetooth（登録商標）が相互に与える影響を抑える対策が必要になる。そこで、従来の携帯電話機では、無線LAN／Bluetooth（登録商標）それぞれの経路にバンドパスフィルタを挿入していた。
【０００４】
図５は、携帯電話機１の筺体内に、セルラー用送受信回路２と送受信モジュール３とが搭載された様子を模式的に示している。セルラー用送受信回路２は、セルラー周波数帯（例えば、送信帯域が最大1.98ＧＨｚ、受信帯域が最大2.17ＧＨｚ）を用いて送受信するモジュールであり、専用の送受信アンテナ２ａを備えている。送受信モジュール３は、第１の通信モジュール（例えば、2.4ＧＨｚを使用する無線LAN）４と、第２の通信モジュール（例えば、2.4ＧＨｚを使用するBluetooth（登録商標））５とがワンパッケージ化されている。第１のアンテナ端子６ａに送受信アンテナ７ａが接続されており、第１のアンテナ端子６ａから第１の通信モジュール４に至る経路にバンドパスフィルタ８ａが設けられている。また、第２のアンテナ端子６ｂに送受信アンテナ７ｂが接続されており、第２のアンテナ端子６ｂから第２の通信モジュール５に至る経路にバンドパスフィルタ８ｂが設けられている。
【０００５】
図６にバンドパスフィルタ８ａ，８ｂの減衰特性を示している。バンドパスフィルタ８ａ，８ｂには、セルラー周波数帯の送信帯域（1.98ＧＨｚ）及び受信帯域（2.17ＧＨｚ）の減衰量を確保し、かつ送受信モジュール３の通信帯域（2.4ＧＨｚ）の減衰を抑えた特性が要求される。
【先行技術文献】
【特許文献】
【０００６】
【特許文献１】特開２００７−１５０５６６号公報
【発明の概要】
【発明が解決しようとする課題】
【０００７】
ところで、送受信モジュール３からみて送信帯域のうちセルラー周波数帯の受信帯域である2.17ＧＨｚに対して急峻な減衰特性が要求される。一方、送受信モジュール３からみて受信帯域のうちセルラー周波数帯の送信帯域である1.98ＧＨｚに対しては2.17ＧＨｚ程の厳しい減衰特性は要求されない。
【０００８】
しかしながら、送受信モジュール３は送信／受信で共通のアンテナ７ａ，７ｂを使用しているので、バンドパスフィルタ８ａ，８ｂの特性は、より厳しい仕様であるセルラー周波数帯の受信帯域（2.17ＧＨｚ）に対応させた減衰特性に設定している。その結果、バンドパスフィルタ８ａ，８ｂで送受信モジュール３の送受信帯域（2.4GＨｚ）のロスが大きくなり、受信感度が劣化する問題があった。
【０００９】
本発明は、かかる点に鑑みてなされたものであり、セルラー周波数帯の受信帯域に対する干渉を悪化させることなく、送受信モジュール側の受信感度を改善することのできる送受信モジュール及び携帯電話機を提供することを目的とする。
【課題を解決するための手段】
【００１０】
本発明の送受信モジュールは、第１の無線通信システムに対応した第１の送受信回路と、前記第１の無線通信システムと使用周波数帯が同一の第２の無線通信システムに対応した第２の送受信回路と、第１の外部アンテナが接続される第１のアンテナ接続端子と、第２の外部アンテナが接続される第２のアンテナ接続端子と、前記第１のアンテナ接続端子に接続された第１のフィルタと、前記第２のアンテナ接続端子に接続された第２のフィルタと、前記第１の送受信回路が前記第１又は第２のフィルタの一方に接続される場合は、前記第２の送受信回路が他方のフィルタに接続され、前記第１の送受信回路が前記第１又は第２のフィルタの他方に接続される場合は、前記第２の送受信回路が一方のフィルタに接続されるように接続状態を切り替え可能なスイッチ手段と、を備え、前記第１及び第２の無線通信システムとは使用周波数帯が異なると共にシステムが異なる第３の無線通信システムに対応した第３の送受信回路が外部に設けられ、前記第１及び第２の送受信回路が選択的に送信可能とされるように設定される送受信モジュールであって、前記第２のフィルタの挿入損失が前記第１のフィルタの挿入損失より小さく設定されていることを特徴とする。
【００１１】
この構成によれば、第１及び第２の送受信回路が選択的に送信可能とされるように設定され、第２のフィルタの挿入損失が第１のフィルタの挿入損失より小さく設定されているので、例えば送信側となる第１又は第２の送受信回路を挿入損失が大きい第１のフィルタに接続し、残りの受信側となる送受信回路を挿入損失が小さい第２のフィルタに接続すれば、送信側となる第１又は第２の送受信回路から第３の送受信回路への干渉を抑制できると共に、受信側となる送受信回路のロスを軽減することができる。
【００１２】
上記送受信モジュールにおいて、前記第３の送受信回路の送信又は受信周波数帯域における前記第１のフィルタの減衰量が、前記第３の送受信回路の送信又は受信周波数帯域における前記第２のフィルタの減衰量より大きく設定されていることを特徴とする。
【００１３】
この構成により、送信側となる第１又は第２の送受信回路を第１のフィルタに接続すれば、送信側となる第１又は第２の送受信回路から放射されるＲＦ信号のうち第３の送受信回路の送信又は受信周波数帯域を十分に減衰することができ、第３の送受信回路への干渉を抑制できる。また、受信側となる第１又は第２の送受信回路に取り込まれるＲＦ信号の減衰を小さくすることができる。
【００１４】
上記送受信モジュールにおいて、前記第２の送受信回路は前記第１の無線通信システムとはシステムが異なることとしても良い。
【００１５】
上記送受信モジュールにおいて、前記スイッチ手段は、単極側端子が前記第１の送受信回路に接続された単極双投の第１のスイッチ回路と、単極側端子が前記第２の送受信回路に接続された単極双投の第２のスイッチ回路とを備え、前記第１のフィルタには、前記第１のスイッチ回路の双投側端子の一方の端子と前記第２のスイッチ回路の双投側端子の一方の端子が接続され、前記第２のフィルタには、前記第１のスイッチ回路の双投側端子の他方の端子と前記第２のスイッチ回路の双投側端子の他方の端子が接続され、前記第１のスイッチ回路が前記第１のフィルタ側に切り換えられているとき、前記第２のスイッチ回路が前記第２のフィルタ側に切り換えられており、前記第１のスイッチ回路が前記第２のフィルタ側に切り換えられているとき、前記第２のスイッチ回路が前記第１のフィルタ側に切り換えられているようにすることができる。
【００１６】
上記送受信モジュールにおいて、前記第３の送受信回路の動作時、又は前記第３の送受信回路が待ち受け状態で受信レベルが所定レベルより低い場合に、前記第２のアンテナを前記第１又は第２の送受信回路の受信用としてのみ使用し、前記第１のアンテナを前記第２又は第１の送受信回路の送信用又は受信用として使用可能とする。
【００１７】
これにより、第３の送受信回路の動作時又は待ち受け状態で受信レベルが所定レベルより低い場合は、第１又は第２の送受信回路からの干渉に対する干渉耐性が弱いので、第３の送受信回路に対してより大きな干渉成分を放射する第２のアンテナは送信用として使用しないで受信用とすることで、第３の送受信回路の状況に応じて第１又は第２の送受信回路を干渉が抑制される方向に動作させることができる。
【００１８】
上記送受信モジュールにおいて、前記第３の送受信回路非動作時、又は前記第３の送受信回路が待ち受け状態で受信レベルが前記所定レベルより高い場合に、前記第１又は第２の送受信回路の送受信電波状況に応じて前記第１又は第２のアンテナを、受信用又は送信用に切り換え可能とした。
【００１９】
これにより、第３の送受信回路非動作時、又は前記第３の送受信回路が待ち受け状態で受信レベルが前記所定レベルより高い場合は、第１又は第２の送受信回路からの干渉に対する干渉耐性が強いので、第１又は第２の送受信回路の送受信電波状況に応じて第１又は第２のアンテナを受信用又は送信用に切り換えることで、第１又は第２の送受信回路のパフォーマンスを優先した設定とすることができる。
【００２０】
上記送受信モジュールにおいて、前記第１及び第２のアンテナを、前記第１又は第２の送受信回路用のダイバーシティアンテナとして使用するように設定されても良い。
【００２１】
上記送受信モジュールにおいて、前記第１及び第２のフィルタは、バンドパスフィルタで構成できる。
【００２２】
上記送受信モジュールにおいて、前記第１の送受信回路は無線ＬＡＮ用回路であり、前記第２の送受信回路は近距離無線通信用回路であり、前記第３の送受信回路はセルラーシステム用回路であっても良い。
【００２３】
前記第３の送受信回路と、上記いずれかの送受信モジュールとを同一筐体内に備えた携帯電話機を構成することができる。
【発明の効果】
【００２４】
本発明によれば、セルラー周波数帯の受信帯域に対する干渉を悪化させることなく、送受信モジュール側の受信感度を改善することができる。
【図面の簡単な説明】
【００２５】
【図１】実施の形態に係る送受信モジュールを備えた携帯電話機のシステム構成図
【図２】第１及び第２のバンドパスフィルタの減衰量を示す特性図
【図３】第１及び第２の通信モジュールの送受信動作時の接続状態を示す図
【図４】通信モジュールのパフォーマンスを上げるための使用アンテナの切替え状態を示す図
【図５】携帯電話機の筺体内にセルラーシステムと送受信モジュールとが搭載された様子を示す概略図
【図６】図５に示すセット製品に備えたバンドパスフィルタの特性図
【発明を実施するための形態】
【００２６】
以下、本発明の実施の形態について添付図面を参照して詳細に説明する。
図１は、本発明の一実施の形態に係る送受信モジュールを備えた携帯電話機のシステム構成図である。同図に示す携帯電話機１０は、セルラー用送受信回路２と、送受信モジュール１１とを搭載している。携帯電話機１０の筺体内に、セルラー用送受信回路２、送受信モジュール１１が収納される。
【００２７】
セルラー用送受信回路２は、送受信モジュール１１からみて外部に設置される第３の送受信回路であり、携帯電話としての本来的機能（通話機能、メール機能、閲覧機能等）を実現する処理回路及びソフトウエアで構成されている。セルラー用送受信回路２は、主にセルラー周波数帯（例えば、送信帯域が最大1.98ＧＨｚ、受信帯域が最大2.17ＧＨｚ）を用いて無線インフラシステム（例えば、セルラー基地局）との間で無線通信する。セルラー用送受信回路２は、無線インフラシステムとの間で無線通信するためのＲＦ信号を送受信する送受信アンテナ２ａを備えている。
【００２８】
送受信モジュール１１は、第１の通信モジュール（例えば、2.4ＧＨｚを使用する無線LAN）１２と、第２の通信モジュール（例えば、2.4ＧＨｚを使用するBluetooth（登録商標））１３とがワンパッケージ化されている。第１の通信モジュール１２は、第１の無線通信システムである例えば2.4ＧＨｚを使用する無線LANに対応した送受信回路である。第２の通信モジュール１３は、第２の無線通信システムである例えば2.4ＧＨｚを使用するBluetooth（登録商標）に対応した送受信回路である。
【００２９】
送受信モジュール１１は、第１のアンテナ端子１４ａと、第２のアンテナ端子１４ｂとが設けられている。第１のアンテナ端子１４ａには第１のアンテナ１５ａが接続され、第２のアンテナ端子１４ｂには第２のアンテナ１５ｂが接続されている。第１のアンテナ端子１４ａと第１及び第２の通信モジュール１２，１３との間には第１のバンドパスフィルタ１６が接続されている。また、第２のアンテナ端子１４ｂと第１及び第２の通信モジュール１２，１３との間には第２のバンドパスフィルタ１７が接続されている。第１の通信モジュール１２は、単極双投タイプのＲＦスイッチ１８の単極側端子が接続されている。ＲＦスイッチ１８の双投側端子の一方の端子が第１のバンドパスフィルタ１６に接続可能で、ＲＦスイッチ１８の双投側端子の他方の端子が第２のバンドパスフィルタ１７に接続可能に構成されている。第２の通信モジュール１３は、単局双投タイプのＲＦスイッチ１９の単極側端子が接続されている。ＲＦスイッチ１９の双投側端子の一方の端子が第１のバンドパスフィルタ１６に接続可能で、ＲＦスイッチ１９の双投側端子の他方の端子が第２のバンドパスフィルタ１７に接続可能に構成されている。
【００３０】
ここで、第１のバンドパスフィルタ１６及び第２のバンドパスフィルタ１７の減衰特性について説明する。本実施の形態では、第１のバンドパスフィルタ１６はセルラー用送受信回路２のへの干渉の抑制を優先してセルラー用送受信回路２の受信帯域（2.17ＧＨｚ）の減衰量を大きく設定する一方、第２のバンドパスフィルタ１７は使用帯域（2.4ＧＨｚ）のロス軽減を優先してセルラー用送受信回路２の受信帯域（2.17ＧＨｚ）の減衰量は小さく設定している。すなわち、第２のバンドパスフィルタ１７の挿入損失は、セルラー用送受信回路２への干渉を抑制する第１のバンドパスフィルタ１６の挿入損失より小さく設定されている。具体的には、第１のバンドパスフィルタ１６の、セルラー用送受信回路２の送信又は受信周波数帯域（送信帯域1.98ＧＨｚ、受信帯域2.17ＧＨｚ）における減衰量が、第２のバンドパスフィルタ１７の、セルラー用送受信回路２の送信又は受信周波数帯域（送信帯域1.98ＧＨｚ、受信帯域2.17ＧＨｚ）における減衰量よりも大きく設定されている。
【００３１】
第１のバンドパスフィルタ１６は、第１のアンテナ１５ａを送信用のアンテナとして使用する場合のフィルタとして使用すれば、送受信モジュール１１の送信帯域のうちセルラー用送受信回路２の受信帯域（2.17ＧＨｚ）に相当する帯域を減衰させる役割を担うことになる。このため、従来の送受信モジュール３のバンドパスフィルタ８ａ，８ｂと同様に、送受信モジュール１１の送信帯域(2.4ＧＨｚ）のロスを犠牲にしてセルラー用送受信回路２の受信帯域（2.17ＧＨｚ）の減衰量を確保している。この結果、第１のアンテナ１５ａを送信用のアンテナとして使用する場合、送受信モジュール１１の送信帯域(2.4ＧＨｚ）は約２．４ｄＢのロスとなっている。
【００３２】
これに対して、第２のバンドパスフィルタ１７は、第２のアンテナ１５ｂを受信用のアンテナとして使用する場合のフィルタであるので、セルラー用送受信回路２から受ける干渉であるセルラー用送受信回路２の送信帯域（1.98ＧＨｚ）の減衰量を確保できれば良く、セルラー用送受信回路２の受信帯域（2.17ＧＨｚ）の減衰量を確保する必要はない。セルラー用送受信回路２の送信帯域（1.98ＧＨｚ）は、セルラー用送受信回路２の受信帯域（2.17ＧＨｚ）に比べて送受信モジュール１１の送受信帯域（2.4ＧＨｚ）から離れているので、送受信モジュール１１の送受信帯域（2.4ＧＨｚ）は小さいロスに抑えて、ターゲットとなる送信帯域（1.98ＧＨｚ）の減衰量を確保することができる。
【００３３】
図２（ａ）〜（ｃ）は第１のバンドパスフィルタ１６及び第２のバンドパスフィルタ１７の減衰量を示す特性図である。送受信モジュール１１の使用帯域（2.4ＧＨｚ）では、第２のバンドパスフィルタ１７の減衰特性Ｑ２の方が、第１のバンドパスフィルタ１６の減衰特性Ｑ１よりもロスが小さい（図２（ｂ））。一方、セルラー用送受信回路２の受信帯域（2.17ＧＨｚ）では、第１のバンドパスフィルタ１６の減衰特性Ｑ１の方が、第２のバンドパスフィルタ１７の減衰特性Ｑ２よりも切れ（減衰量）が良く、干渉が抑制されている（図２（ｃ））。
【００３４】
次に、以上のように構成された本実施の形態の動作について説明する。
本実施の形態では、送受信モジュール１１は、第１の通信モジュール１２が送信動作中は、第２の通信モジュール１３は受信動作となり、逆に第１の通信モジュール１２が受信動作中は、第２の通信モジュール１３は送信動作となるように、セルラー用送受信回路２から制御ラインを介して制御される。
【００３５】
図３（ａ）には、第１の通信モジュール１２が送信動作、第２の通信モジュール１３が受信動作時の接続状態が示されている。一方のＲＦスイッチ１８が送信側となる第１のバンドパスフィルタ１６側に接続され、他方のＲＦスイッチ１９が受信側となる第２のバンドパスフィルタ１７側に接続される。
【００３６】
送信モジュールに指定された第１の通信モジュール１２から送出されたＲＦ信号はＲＦスイッチ１８を介して第１のバンドパスフィルタ１６に入力される。第１のバンドパスフィルタ１６によって送信帯域のうちセルラー用送受信回路２の受信帯域（2.17ＧＨｚ）が十分に減衰される。セルラー用送受信回路２の受信帯域（2.17ＧＨｚ）が十分に減衰されたＲＦ信号が第１のアンテナ１５ａから放射される。このとき、セルラー用送受信回路２使用中（例えば、通話中）であっても第１の通信モジュール１２から送出されたＲＦ信号のうちセルラー用送受信回路２の受信帯域（2.17ＧＨｚ）が十分に減衰されるので、セルラー用送受信回路２は受信帯域（2.17ＧＨｚ）の干渉を抑制した状態で受信できる。
【００３７】
また、受信モジュールに指定された第２の通信モジュール１３は、第２のアンテナ１５ｂで受信されたＲＦ信号を第２のバンドパスフィルタ１７を経由して受信する。第２のバンドパスフィルタ１７は、上記した通り、セルラー用送受信回路２の送信帯域（1.98ＧＨｚ）に対して十分な減衰量を実現するが、第２の通信モジュール１３の送受信帯域（2.4ＧＨｚ）の減衰量は小さくしているので、第２の通信モジュール１３の送受信帯域（2.4ＧＨｚ）のロスを抑制した状態で希望信号を受信できる。
【００３８】
図３（ｂ）には、第１の通信モジュール１２が受信動作で、第２の通信モジュール１３が送信動作時の接続状態が示されている。他方のＲＦスイッチ１９が送信側となる第１のバンドパスフィルタ１６側に接続され、一方のＲＦスイッチ１８が受信側となる第２のバンドパスフィルタ１７側に接続される。
【００３９】
送信モジュールに指定された第２の通信モジュール１３から送出されたＲＦ信号はＲＦスイッチ１９を介して第１のバンドパスフィルタ１６に入力される。第１のバンドパスフィルタ１６によって送信帯域のうちセルラー用送受信回路２の受信帯域（2.17ＧＨｚ）が十分に減衰され、第１のアンテナ１５ａから放射される。
【００４０】
また、受信モジュールに指定された第１の通信モジュール１２は、第２のアンテナ１５ｂで受信されたＲＦ信号を第２のバンドパスフィルタ１７を経由して受信する。第２のバンドパスフィルタ１７は、セルラー用送受信回路２の送信帯域（1.98ＧＨｚ）に対して大きな減衰量で減衰し、第１の通信モジュール１３の送受信帯域（2.4ＧＨｚ）の減衰量は小さく抑えられる。
【００４１】
このように、本実施の形態によれば、挿入損失の大きい第１のバンドパスフィルタ１６と、挿入損失の小さい第２のバンドパスフィルタ１７とを備え、第１、第２の通信モジュール１２、１３が送信モジュール又は受信モジュールであるかに応じて、通信モジュールに接続すべきバンドパスフィルタをＲＦスイッチ１８，１９により切り替えるようにしたので、送信パワーを変化させること無く、受信感度を改善することができる。
【００４２】
また、本実施の形態に係る携帯電話機は、セルラー用送受信回路２の状況（電波環境、待ち受け状態、電源オフ）に応じて、使用アンテナをフレキシブルに変更することができる。
【００４３】
たとえば、セルラー用送受信回路２の状況が待ち受け状態（電源はオンだが通話中ではない状態）であり、電波環境が良い状態（受信電界強度が強い）であるものとする。セルラー用送受信回路２の電波環境が良好とは、第１又は第２の通信モジュール１２，１３が第２のアンテナ１５ｂを使用して送信しても、セルラー用送受信回路２において所要の受信品質を得られる程度の受信電界強度であるということができる。このような、電波環境では以下のように使用アンテナを切り替えることで第１又は第２の通信モジュール１２，１３のパフォーマンスを上げることができる。
【００４４】
図４（ａ）はセルラー用送受信回路２の電波環境が良好で、かつ第１の通信モジュール１２のパフォーマンスを上げるように使用アンテナを切り替えた状態が示されている。第１の通信モジュール１２のパフォーマンスを上げることを目的として、ＲＦスイッチ１８にて第１の通信モジュール１２に第２のバンドパスフィルタ１７を接続して受信だけでなく、送信も第２のアンテナ１５ｂ及び第２のバンドパスフィルタ１７を介して行うようにＲＦスイッチ１８の状態を固定する。一方、第２の通信モジュール１３は、ＲＦスイッチ１９にて第２の通信モジュール１２に第１のバンドパスフィルタ１６を接続して受信だけでなく、送信も第１のアンテナ１５ａ及び第１のバンドパスフィルタ１６を介して行うようにＲＦスイッチ１９の状態を固定する。ＲＦスイッチ１８、１９の制御はセルラー用送受信回路２から送受信モジュール側の制御部（例えばレジスタ）に制御信号を与えることで実現する。送受信モジュール側の制御部は第１の通信モジュール１２に搭載しても良い。この場合、第２の通信モジュール１３は第１の通信モジュール１２の制御部を介して制御信号を受け取るようにしても良い。
【００４５】
このとき、第１の通信モジュール１２の送信動作時には、第２のバンドパスフィルタ１７を通ったＲＦ信号が第２のアンテナ１５ｂから放射される。上記したように、第２のバンドパスフィルタ１７はセルラー用送受信回路２の受信帯域（2.17ＧＨｚ）の減衰量が小さいが、セルラー用送受信回路２の電波環境が良好であれば、所要の受信品質を維持することができ、セルラー基地局からの信号を検出することができる。一方、第１の通信モジュール１２は、第１の通信モジュール１２の使用帯域（2.4ＧＨｚ)の減衰量が小さい第２のバンドパスフィルタ１７を介してＲＦ信号を送受信できるのでロスが小さく伝送効率を向上させることができる。
【００４６】
なお、第２の通信モジュール１３のパフォーマンスを上げる場合は、ＲＦスイッチ１８，１９の状態を逆に制御すれば良い。また、セルラー用送受信回路２は、待ち受け状態から通話話状態に切り替わった場合には、図３（ａ）（ｂ）に示すようにＲＦスイッチ１８，１９の状態を元の送受信切り換え動作に戻す。
【００４７】
２本のアンテナ１５ａ，１５ｂは、電波干渉を考慮してアンテナ間のアイソレーションをとるために取り付け角度を異ならせることができる。この場合、たとえば、無線ＬＡＮのアクセスポイントに対して電波状況が良くなるアンテナ１５ａ，１５ｂが変化する。
【００４８】
本実施の形態では、セルラー用送受信回路２が電源オフの場合、又は待ち受け状態で受信電界強度が強い（所定値以上）場合に、電波状況の良い方のアンテナ１５ａ又は１５ｂを検出する（図４（ｂ））。そのため、セルラー用送受信回路２からの制御信号によってＲＦスイッチ１８，１９を定期的に切り替え、第１、第２の通信モジュール１２，１３にアンテナ１５ａ，１５ｂでのＲＳＳＩ値を記憶する。セルラー用送受信回路２が第１、第２の通信モジュール１２，１３から各アンテナ１５ａ，１５ｂのＲＳＳＩ値を取り込んで電波状況の良いアンテナ１５ａ，１５ｂを検出する。たとえば、第１の通信モジュール１２のパフォーマンスを上げたい場合は、電波状況の良い方のアンテナ（例えば第１のアンテナ１５ａ）を使用するようにＲＦスイッチ１８，１９を切り替える。これにより、パフォーマンスを上げたい通信モジュールに電波状況の良いアンテナを接続できる。このようなアンテナ選択はアンテナダイバーシチということができる。
【００４９】
なお、セルラー用送受信回路２の動作時（例えば、通話状態）、又は待ち受け状態で受信レベルが所定レベルより低い場合に、第２のアンテナ１５ｂを第１又は第２の通信モジュール１２，１３の受信用としてのみ使用し、第１のアンテナ１５ａを第２の通信モジュール１３の送信用又は第１の通信モジュール１２の受信用として使用しても良い。
【００５０】
また、以上の説明では、第１の通信モジュール１２と第２の通信モジュール１３とは異なる通信システムの例を説明したが、同一の通信システム（例えば、両方ともが無線ＬＡＮ）であっても本発明は適用可能である。また、携帯電話機１０の筺体内に３つの通信モジュールを実装する例を説明したが、セルラーシステム以外の通信システムとの組み合わせにも適用可能である。
【産業上の利用可能性】
【００５１】
本発明は、異なる通信方式である無線LANとBluetooth（登録商標）とをワンパッケージ化してセルラーシステムと共存させた携帯電話機に適用可能である。
【符号の説明】
【００５２】
１、１０  携帯電話機
２  セルラー用送受信回路２
１１  送受信モジュール
１２  第１の通信モジュール
１３  第２の通信モジュール
１４ａ  第１のアンテナ端子
１４ｂ  第２のアンテナ端子
１５ａ  第１のアンテナ
１５ｂ  第２のアンテナ
１６  第１のバンドパスフィルタ
１７  第２のバンドパスフィルタ
１８、１９  ＲＦスイッチ
【図１】
2011250362.tif 000003
【図２】
2011250362.tif 000004
【図３】
2011250362.tif 000005
【図４】
2011250362.tif 000006
【図５】
2011250362.tif 000007
【図６】
2011250362.tif 000008